(57)【要約】【課題】音声ガイダンスの所望の部分を簡単に再生可能な音声ガイダンス機能付き画像読取記録装置を提供する。【解決手段】複数の音声ガイダンスを記憶する記憶手段と、音声ガイダンスの再生の開始及び停止、並びに、音声ガイダンスの早送り再生（又は巻戻し再生）の開始及び停止を操作する操作手段と、操作手段により再生の開始が操作された場合に、現在のステータスに基づいて、記憶された音声ガイダンスを再生する再生手段と、操作手段により早送り再生（又は巻戻し再生）の開始が操作された場合に、再生中の音声ガイダンスの早送り再生（又は巻戻し再生）を開始する早送り手段（又は巻戻し手段）と、操作手段により早送り再生（又は巻戻し再生）の停止が操作された場合に、音声ガイダンスの早送り再生（又は巻戻し再生）を停止して再生に戻す早送り停止手段（又は巻戻し停止手段）と、を備えた。【選択図】図２
2008042722.tif 000002
【特許請求の範囲】
【請求項１】
複数の音声ガイダンスを記憶する記憶手段と、
音声ガイダンスの再生の開始及び停止、並びに、音声ガイダンスの早送り再生の開始及び停止を操作する操作手段と、
前記操作手段により再生の開始が操作された場合に、現在のステータスに基づいて、記憶された音声ガイダンスを再生する再生手段と、
前記操作手段により早送り再生の開始が操作された場合に、再生中の音声ガイダンスの早送り再生を開始する早送り手段と、
前記操作手段により早送り再生の停止が操作された場合に、音声ガイダンスの早送り再生を停止して再生に戻す早送り停止手段と、
を備えたことを特徴とする音声ガイダンス機能付き画像読取記録装置。
【請求項２】
複数の音声ガイダンスを記憶する記憶手段と、
音声ガイダンスの再生の開始及び停止、並びに、音声ガイダンスの巻戻し再生の開始及び停止を操作する操作手段と、
前記操作手段により再生の開始が操作された場合に、現在のステータスに基づいて、記憶された音声ガイダンスを再生する再生手段と、
前記操作手段により巻戻し再生の開始が操作された場合に、再生中の音声ガイダンスの巻戻し再生を開始する巻戻し手段と、
前記操作手段により巻戻し再生の停止が操作された場合に、音声ガイダンスの巻戻し再生を停止して再生に戻す巻戻し停止手段と、
を備えたことを特徴とする音声ガイダンス機能付き画像読取記録装置。
【請求項３】
前記操作手段により再生の停止が操作された場合に、音声ガイダンスの再生を停止する再生停止手段を備えた請求項１又は２記載の音声ガイダンス機能付き画像読取記録装置。
【発明の詳細な説明】
【技術分野】
【０００１】
本発明は、操作方法や機能の説明等を音声によって案内する音声ガイダンス機能付き画像読取記録装置に関するものである。
【背景技術】
【０００２】
従来のこの種の技術としては、操作方法や機能の説明等を音声によって案内する複合機が知られている（例えば、特許文献１参照）。
【特許文献１】特開２００５−６２４３６号公報（第６頁、図３等）
【０００３】
前記特許文献１記載の複合機は、音声ガイダンス再生手段と、音声ガイダンスの再生・中断を指示する操作手段と、制御手段とを備え、音声ガイダンス再生中に前記操作手段が操作された場合に、前記制御手段が前記音声ガイダンス再生手段を停止させ、その後、再度、前記操作手段が操作された場合に、前記制御手段が前記音声ガイダンス再生手段に、中断した音声ガイダンスの再生を開始させるものである。このような複合機において、中断した音声ガイダンスが再生される場合、その音声ガイダンスが再度最初から再生されるのが一般的である。
【０００４】
また、音声ガイダンスの再生が終了した場合に、音声ガイダンスが再度最初から再生される複合機もある。
【発明の開示】
【発明が解決しようとする課題】
【０００５】
いずれにしても、音声ガイダンスが長い場合において、音声ガイダンスの再生途中で再度聞きたい部分があれば、音声ガイダンスを再度最初から再生した後で聞きたい部分になるまで待つ必要がある。これでは、聞きたい部分になるまで時間がかかり、ユーザに不快感を与えるおそれがあるという問題点がある。
【０００６】
本発明は、以上のような問題点に鑑みてなされたものであり、音声ガイダンスの所望の部分を簡単に再生可能な音声ガイダンス機能付き画像読取記録装置を提供することを目的とする。
【課題を解決するための手段】
【０００７】
上記目的を達成するための請求項１の発明は、複数の音声ガイダンスを記憶する記憶手段と、音声ガイダンスの再生の開始及び停止、並びに、音声ガイダンスの早送り再生の開始及び停止を操作する操作手段と、前記操作手段により再生の開始が操作された場合に、現在のステータスに基づいて、記憶された音声ガイダンスを再生する再生手段と、前記操作手段により早送り再生の開始が操作された場合に、再生中の音声ガイダンスの早送り再生を開始する早送り手段と、前記操作手段により早送り再生の停止が操作された場合に、音声ガイダンスの早送り再生を停止して再生に戻す早送り停止手段と、を備えたものである。
【０００８】
請求項２の発明は、複数の音声ガイダンスを記憶する記憶手段と、音声ガイダンスの再生の開始及び停止、並びに、音声ガイダンスの巻戻し再生の開始及び停止を操作する操作手段と、前記操作手段により再生の開始が操作された場合に、現在のステータスに基づいて、記憶された音声ガイダンスを再生する再生手段と、前記操作手段により巻戻し再生の開始が操作された場合に、再生中の音声ガイダンスの巻戻し再生を開始する巻戻し手段と、前記操作手段により巻戻し再生の停止が操作された場合に、音声ガイダンスの巻戻し再生を停止して再生に戻す巻戻し停止手段と、を備えたものである。
【０００９】
請求項３の発明は、前記操作手段により再生の停止が操作された場合に、音声ガイダンスの再生を停止する再生停止手段を備えたものである。
【発明の効果】
【００１０】
請求項１の発明によれば、音声ガイダンスを所望の部分まで早送りできるので、音声ガイダンスの所望の部分を簡単に再生することができる。
【００１１】
請求項２の発明によれば、音声ガイダンスを所望の部分まで巻戻しできるので、音声ガイダンスの所望の部分を簡単に再生することができる。
【００１２】
請求項３の発明によれば、必要に応じて音声ガイダンスを強制終了することができる。
【発明を実施するための最良の形態】
【００１３】
以下、本発明の実施形態を図面に基づいて説明する。
本実施形態に係る音声ガイダンス機能付き画像読取記録装置１は、図１に示すように、主な構成要素として、制御部２、フラッシュメモリ３、ＲＡＭ（random access memory、随時書き込み読み出しメモリ）４、画像メモリ５、コーデック（ＣＯＤＥＣ）６、モデム７、ＮＣＵ（network control unit、回線網制御装置）８、表示部９、操作部１０、読取部１１、記録部１２、音声出力部１３、及びＬＡＮ（local area network、構内情報通信網）インターフェース〔ＬＡＮ Ｉ／Ｆ〕１４を備えたものであり、各構成要素はバス１５を介して互いに通信可能に接続されている。
【００１４】
フラッシュメモリ３は、各構成要素の動作を制御するための制御プログラムの他、複数の音声ガイダンス等を記憶している。音声ガイダンスは、音声ガイダンス機能付き画像読取記録装置１の操作方法や各種機能の説明等を音声で案内するためのものである。なお、記憶手段は、フラッシュメモリ３の他、ＨＤＤ（ハードディスクドライブ）、ＲＯＭ（read only memory、読み出し専用メモリ）等であってもよい。
【００１５】
制御部２は、ＣＰＵ（central processing unit、中央処理装置）等で構成されており、フラッシュメモリ３上の制御プログラム等に従って各構成要素の動作を制御する。ＲＡＭ４は、音声ガイダンス機能付き画像読取記録装置１に関する各種の情報を一時的に記憶する。
【００１６】
読取部１１は、原稿の画像を画像データとして読み取る。画像メモリ５は、読み取られた画像データを一時的に記憶する。記録部１２は、記憶された画像データ等を電子写真方式等により記録用紙に記録（印刷）する。このように、音声ガイダンス機能付き画像読取記録装置１は、原稿の画像を読み取る読取手段、読み取られた画像を記憶する記憶手段、及び記憶された画像を記録用紙に記録する記録手段も備えている。
【００１７】
表示部９は、操作部１０等に併設されたＬＣＤ（liquid crystal display、液晶ディスプレイ）等で構成されており、各種の情報を表示する。操作部１０は、音声案内キー２１、早送りキー２２、巻戻しキー２３等の各種の操作をするための操作キーを備えている。音声ガイダンス機能付き画像読取記録装置１に対するユーザによる各種の操作は、この操作部１０を通じて行われる。なお、表示部９をタッチパネルとしておき、このタッチパネルとしての表示部９が操作部１０としても機能するように構成してもよい。
【００１８】
音声案内キー２１は、音声ガイダンスの再生の開始及び停止を操作する。早送りキー２２は、音声ガイダンスの早送り再生の開始及び停止を操作する。ここでいう早送り再生とは、通常の再生速度よりも大きい速度で音声ガイダンスを正方向に再生することをいう。巻戻しキー２３は、音声ガイダンスの巻戻し再生の開始及び停止を操作する。ここでいう巻戻し再生とは、通常の再生速度よりも大きい速度で音声ガイダンスを逆方向に再生することをいう。
【００１９】
コーデック６は、読み取られた画像データを送信等のためにＭＨ（modified huffman）方式、ＭＲ（modified read）方式、ＭＭＲ（modified modified read）方式等により符号化したり、受信した画像データを復号化したりする。また、コーデック６は、符号化されている音声ガイダンスを復号化する。音声出力部１３は、復号化された音声ガイダンスを出力する。なお、音声ガイダンスが圧縮及び符号化されている場合は、コーデック６により伸張及び復号化されるようにしておけばよい。
【００２０】
モデム７は、ＩＴＵ−Ｔ（国際電気通信連合−電気通信標準化部門）の勧告Ｖ．３４規格等に従った送信データの変調及び受信データの復調を行う。ＮＣＵ８は、ＰＳＴＮ（public switched telephone network、公衆電話交換網）３１に接続されており、電話回線を制御して電話をかけたり切ったりする。ＬＡＮインターフェース１４は、ＬＡＮ３２に接続されている。ＬＡＮインターフェース１４及びＬＡＮ３２は、インターネット３３に接続されている。
【００２１】
上記のように構成された音声ガイダンス機能付き画像読取記録装置１は、コピー機の他、ファクス通信機、インターネットファクス通信機、ネットワークプリンタ、ネットワークスキャナ等として機能する複合機である。なお、音声ガイダンス機能付き画像読取記録装置１は、複合機でなくてもよく、少なくともコピー機として機能するものであればよい。
【００２２】
次に、音声ガイダンスの再生処理の一例を図２に示すフローチャートに基づいて説明する。なお、この処理は、フラッシュメモリ３上の制御プログラム等に基づいて制御部２が発行する命令に従って行われる。
【００２３】
この処理において、操作部１０による再生の開始操作（例えば、音声案内キー２１の押し下げ）がある場合は（ステップＳ１でＹＥＳ）、現在のステータスに基づいてフラッシュメモリ３上の音声ガイダンスが再生される（ステップＳ２）。この場合、フラッシュメモリ３上の符号化されている音声ガイダンスがコーデック６により復号化され、復号化された音声ガイダンスが音声出力部１３により出力される。一方、再生の開始操作がない場合は（ステップＳ１でＮＯ）、ステップＳ１に戻る。
【００２４】
次いで、操作部１０による早送り再生の開始操作（例えば、早送りキー２２の押し下げ）がある場合は（ステップＳ３でＹＥＳ）、再生中の音声ガイダンスが早送り再生される（ステップＳ４）。
【００２５】
そして、操作部１０による早送り再生の停止操作（例えば、早送りキー２２の押し下げの解除）がある場合は（ステップＳ５でＹＥＳ）、音声ガイダンスの早送り再生が停止されて通常の再生に戻される（ステップＳ６）。一方、早送り再生の停止操作がない場合は（ステップＳ５でＮＯ）、ステップＳ５に戻る。
【００２６】
次いで、操作部１０による再生の停止操作（例えば、音声案内キー２１の押し下げ）がある場合は（ステップＳ７でＹＥＳ）、音声ガイダンスの再生が停止され（ステップＳ８）、処理が終了する。一方、再生の停止操作がない場合は（ステップＳ７でＮＯ）、ステップＳ３に戻る。
【００２７】
このように、音声ガイダンス機能付き画像読取記録装置１によれば、音声ガイダンスを所望の部分まで早送りできるので、音声ガイダンスの所望の部分を簡単に再生できるという利点がある。また、上記のように、再生の停止が操作された場合に、音声ガイダンスの再生を停止するようにしておけば、必要に応じて音声ガイダンスを強制終了できるという利点がある。
【００２８】
更に、ステップＳ３において早送り再生の開始操作がなく（ステップＳ３でＮＯ）、かつ、操作部１０による巻戻し再生の開始操作（例えば、巻戻しキー２３の押し下げ）がある場合は（ステップＳ９でＹＥＳ）、再生中の音声ガイダンスが巻戻し再生される（ステップＳ１０）。
【００２９】
そして、操作部１０による巻戻し再生の停止操作（例えば、巻戻しキー２３の押し下げの解除）がある場合は（ステップＳ１１でＹＥＳ）、音声ガイダンスの巻戻し再生が停止されて通常の再生に戻され（ステップＳ１２）、ステップＳ７に進む。一方、巻戻し再生の停止操作がない場合は（ステップＳ１１でＮＯ）、ステップＳ１１に戻る。
【００３０】
このように、音声ガイダンス機能付き画像読取記録装置１によれば、音声ガイダンスを所望の部分まで巻戻しできるので、音声ガイダンスの所望の部分を簡単に再生できるという利点がある。
【産業上の利用可能性】
【００３１】
以上のように、本発明に係る音声ガイダンス機能付き画像読取記録装置は、音声ガイダンスの所望の部分を簡単に再生可能とするのに適している。
【図面の簡単な説明】
【００３２】
【図１】実施形態に係る音声ガイダンス機能付き画像読取記録装置の構成例を示すブロック図。
【図２】音声ガイダンスの再生処理例を示すフローチャート。
【符号の説明】
【００３３】
１  音声ガイダンス機能付き画像読取記録装置
２  制御部
３  フラッシュメモリ
４  ＲＡＭ
５  画像メモリ
６  コーデック
１０  操作部
１１  読取部
１２  記録部
１３  音声出力部
２１  音声案内キー
２２  早送りキー
２３  巻戻しキー
【図１】
2008042722.tif 000003
【図２】
2008042722.tif 000004